(57)【要約】【課題】発光期間を長くできる光書き込み装置及び画像形成装置を提供することである。【解決手段】印刷媒体に画像を形成する画像形成装置に用いられる光書き込み装置である。複数の発光点は、電流量に応じた強度で発光する。保持手段は、発光点に流れる電流量を設定するための設定値を保持し、複数の発光点よりも多く設けられている。供給手段は、保持手段により保持されている設定値に基づいて複数の発光点に電流を順次供給する。選択手段は、供給手段が発光点に電流を供給している発光期間において、該発光点への電流の供給に用いられている保持手段以外の保持手段を選択する。書き込み手段は、選択手段により選択された保持手段に、供給手段により電流を供給されている発光点の次の発光期間において用いられる設定値を書き込む。【選択図】図４
2015020360.tif 000002
【特許請求の範囲】
【請求項１】
印刷媒体に画像を形成する画像形成装置に用いられる光書き込み装置であって、
電流量に応じた強度で発光する複数の発光点と、
前記発光点に流れる電流量を設定するための設定値を保持する複数の保持手段であって、前記複数の発光点よりも多く設けられている複数の保持手段と、
前記保持手段により保持されている前記設定値に基づいて前記発光点に電流を順次供給する供給手段と、
前記供給手段が前記発光点に電流を供給している発光期間において、該発光点への電流の供給に用いられている前記保持手段以外の前記保持手段を選択する選択手段と、
前記選択手段により選択された前記保持手段に、前記供給手段により電流を供給されている前記発光点の次の発光期間において用いられる前記設定値を書き込む書き込み手段と、
を備えていること、
を特徴とする光書き込み装置。
【請求項２】
前記供給手段は、ビデオ信号に応じた期間だけ前記発光点に電流を供給すること、
を特徴とする請求項１に記載の光書き込み装置。
【請求項３】
前記各発光点のそれぞれには、複数の前記保持手段が対応するように設けられており、
前記選択手段は、前記発光点に対応する複数の前記保持手段の内、該発光点への電流の供給に用いられている前記保持手段以外の前記保持手段を選択すること、
を特徴とする請求項１又は請求項２のいずれかに記載の光書き込み装置。
【請求項４】
前記供給手段は、前記複数の保持手段の内の一部に相当する複数の前記保持手段を用いて、前記複数の発光点の内の少なくとも一部に相当する複数の前記発光点に電流を同時に供給し、
前記選択手段は、前記供給手段が前記複数の発光点の内の少なくとも一部に相当する複数の前記発光点に電流を供給している期間において、該複数の発光点への電流の供給に用いられている前記保持手段以外の前記保持手段を選択すること、
を特徴とする請求項１又は請求項２のいずれかに記載の光書き込み装置。
【請求項５】
前記保持手段は、コンデンサであること、
を特徴とする請求項１ないし請求項４のいずれかに記載の光書き込み装置。
【請求項６】
前記書き込み手段は、デジタル信号である前記電流設定値をアナログ信号に変換するＤ／Ａコンバータを含んでいること、
を特徴とする請求項１ないし請求項５のいずれかに記載の光書き込み装置。
【請求項７】
前記書き込み手段は、前記保持手段に接続されたスイッチ及び電流設定値に応じた期間だけ該スイッチを導通させるタイマーを含んでいること、
を特徴とする請求項１ないし請求項５のいずれかに記載の光書き込み装置。
【請求項８】
前記請求項１ないし請求項７のいずれかに記載の光書き込み装置を備えていること、
を特徴とする画像形成装置。
【発明の詳細な説明】
【技術分野】
【０００１】
本発明は、光書き込み装置及び画像形成装置に関し、より詳細には、印刷媒体に画像を形成する画像形成装置に用いられる光書き込み装置及び画像形成装置に関する。
【背景技術】
【０００２】
従来の光書き込み装置に関する発明としては、例えば、特許文献１に記載の画像形成装置の露光装置が知られている。該露光装置では、複数のエレクトロルミネッセンス素子が一列に並んでいる。そして、複数のエレクトロルミネッセンス素子が順次発光することにより、感光体に対して静電潜像が形成されている。
【０００３】
以上のような露光装置では、各エレクトロルミネッセンス素子に対応するように電流プログラム部が設けられている。電流プログラム部にはコンデンサが設けられている。該コンデンサには、エレクトロルミネッセンス素子の駆動電流を一定とするための光量補正データに基づくアナログ値が書き込まれている。これにより、エレクトロルミネッセンス素子の発光の強度が調整されている。
【０００４】
ところで、前記露光装置では、エレクトロルミネッセンス素子が発光していない非発光期間において電流プログラム部のコンデンサにアナログ値を書き込んでいる。そのため、コンデンサの容量が大きい場合やアナログ値の書き込みのための駆動回路の駆動能力が低い場合には、コンデンサへのアナログ値の書き込み時間が長くなり、非発光期間が長くなってしまう。その結果、露光装置の発光期間が短くなってしまう。
【先行技術文献】
【特許文献】
【０００５】
【特許文献１】特開２００７−２７６３５６号公報
【発明の開示】
【発明が解決しようとする課題】
【０００６】
そこで、本発明の目的は、発光期間を長くできる光書き込み装置及び画像形成装置を提供することである。
【課題を解決するための手段】
【０００７】
本発明の一形態に係る光書き込み装置は、印刷媒体に画像を形成する画像形成装置に用いられる光書き込み装置であって、電流量に応じた強度で発光する複数の発光点と、前記発光点に流れる電流量を設定するための設定値を保持する複数の保持手段であって、前記複数の発光点よりも多く設けられている複数の保持手段と、前記保持手段により保持されている前記設定値に基づいて前記発光点に電流を順次供給する供給手段と、前記供給手段が前記発光点に電流を供給している発光期間において、該発光点への電流の供給に用いられている前記保持手段以外の前記保持手段を選択する選択手段と、前記選択手段により選択された前記保持手段に、前記供給手段により電流を供給されている前記発光点の次の発光期間において用いられる前記設定値を書き込む書き込み手段と、を備えていること、を特徴とする。
【０００８】
本発明の一形態に係る画像形成装置は、前記光書き込み装置を備えていること、を特徴とする。
【発明の効果】
【０００９】
本発明によれば、発光期間を長くできる。
【図面の簡単な説明】
【００１０】
【図１】画像形成装置の構成図である。
【図２】図１のＯＬＥＤ−ＰＨの縦断面図である。
【図３】図１のＯＬＥＤ基板を平面視した図である。
【図４】ＯＬＥＤ−ＰＨの第１グループの回路図である。
【図５】ＯＬＥＤ−ＰＨの第２グループの回路図である。
【図６】ＯＬＥＤ−ＰＨの第ｍグループの回路図である。
【図７】ＯＬＥＤ−ＰＨの動作時のタイミングチャートである。
【図８】ＯＬＥＤ−ＰＨの第１グループの回路図である。
【図９】ＯＬＥＤ−ＰＨの動作時のタイミングチャートである。
【図１０】電流設定部における出力ｃｈ３−１に関連する部分の構成図である。
【図１１】電流設定部が出力ｃｈ３−１を出力する際のタイミングチャートである。
【発明を実施するための形態】
【００１１】
以下、図面を参照して、本発明の各実施形態に係る光書き込み装置が用いられた画像形成装置について詳説する。
【００１２】
まず、図中のｘ軸、ｙ軸及びｚ軸について説明する。本実施形態では、説明の便宜のため、ｘ軸、ｙ軸及びｚ軸はそれぞれ、画像形成装置の左右方向（換言すると横方向）、前後方向（換言すると奥行き方向）及び上下方向（換言すると高さ方向）とする。また、図中、いくつかの構成には、参照番号の右側に添え字ａ，ｂ，ｃ，ｄが付加されるものがある。ａ，ｂ，ｃ，ｄは、イエロー（Ｙ）、マゼンタ（Ｍ）、シアン（Ｃ）、ブラック（Ｂｋ）を意味する。例えば、作像手段２９ａは、イエローの作像手段２９を意味する。また、添え字無しは、Ｙ，Ｍ，Ｃ，Ｂｋの各色を意味する。例えば、作像手段２９は、Ｙ，Ｍ，Ｃ，Ｂｋ各色の作像手段を意味する。
【００１３】
（画像形成装置の構成・動作）
まず、画像形成装置の構成について説明する。図１は、画像形成装置１の構成図である。図２は、図１のＯＬＥＤ−ＰＨ１７の縦断面図である。図３は、図１のＯＬＥＤ基板５２を平面視した図である。
【００１４】
画像形成装置１は、例えばＭＦＰ(Multifunction Peripheral)であって、各色用の感光体ドラム３１を用いて各色のトナー像を形成して合成した後、合成トナー像をシートＳ（印刷媒体）に印刷（形成）する。そのために、画像形成装置１は、図１に示すように、大略的に、供給ユニット３、タイミングローラ対５、プロセスユニット７、定着手段９、排出ローラ対１１及び排出トレイ１３を備えている。
【００１５】
供給ユニット３は、供給トレイ１５及び供給ローラ１６を含む。供給トレイ１５には未印刷のシートＳが複数積載される。供給ローラ１６は、積載されたシートＳを上から１枚ずつ取り出し、搬送経路Ｒに送り出す。このシートＳは、直ぐ下流のタイミングローラ対５に向けて搬送される。
【００１６】
タイミングローラ対５は、搬送経路Ｒ上で互いに当接する二個一対のローラを含んでおり、制御回路３７による制御の下で回転し停止する。シートＳの送出時を除き、各ローラは停止している。よって、搬送されてきたシートＳは、まずローラ同士の当接部分に突き当たり、一旦停止する。タイミングローラ対５は、所定タイミングで回転を開始して、シートＳを二次転写領域（詳細は後述）に向けて送り出す。
【００１７】
プロセスユニット７は、各色用のＯＬＥＤ−ＰＨ１７、各色用の転写手段１９、中間転写ベルト２１、駆動ローラ２３、従動ローラ２５、二次転写ローラ２７及び各色用の作像手段２９を含む。各作像手段２９は、大略的には、感光体ドラム３１と、その周面に沿って配置された帯電手段３３及び現像手段３５と、を有する。
【００１８】
各色の感光体ドラム３１は、ｙ軸方向に延在している。これら感光体ドラム３１は、ｘ軸方向に並ぶように配列される。各感光体ドラム３１は、図示しないモータからの駆動力により、ｙ軸に平行な軸を中心として、ｚｘ面内で時計回り（矢印ＣＷで示す）に回転する。
【００１９】
各帯電手段３３は、ｙ軸方向に延在しており、対応する感光体ドラム３１の周面を帯電させる。帯電手段３３としては、コロトロン、スコロトロンまたは帯電ローラが典型的である。
【００２０】
各ＯＬＥＤ−ＰＨ１７は、光書き込み装置であって、対応色の帯電手段３３を基準として、対応色の感光体ドラム３１の回転方向ＣＷの直ぐ下流側に、対応色の感光体ドラム３１の周面近傍に配置される。各ＯＬＥＤ−ＰＨ１７は、図２に示すように、ホルダ５１、ＯＬＥＤ基板５２及びレンズアレイ５３を備えている。
【００２１】
ホルダ５１は、対応色の感光体ドラム３１と平行に延在しており、対応色の感光体ドラム３１周面における光Ｂの照射位置と対向するように設けられている。
【００２２】
ＯＬＥＤ基板５２は、図２及び図３に示すように、ｙ軸方向の１ラインのドット数分（例えば一万数千個）の発光点５４−１，５４−２，５４−３・・・を備えている。
【００２３】
各発光点５４−１，５４−２，５４−３・・・は、ＯＬＥＤであり、ｙ軸方向にライン状に、かつ対応色の感光体ドラム３１の周面に対向するように、ＯＬＥＤ基板５２に配置されている。発光点５４−１，５４−２，５４−３・・・の間隔ｄは、書き込み解像度が６００ｄｐｉの場合に、４２．３３μｍであり、書き込み解像度が１２００ｄｐｉの場合に、２１．１７μｍである。各発光点５４−１，５４−２，５４−３・・・は、入力駆動電流に応じた光量で発光する。各発光点５４−１，５４−２，５４−３・・・において、入力駆動電流に対する出力光量は略リニアな関係になっている。
【００２４】
ここで、各発光点５４−１，５４−２，５４−３・・・は同一のＯＬＥＤ基板５２に設けられている。これにより、発光点５４−１，５４−２，５４−３・・・の製造工程を同一にできるため、発光点５４−１，５４−２，５４−３・・・の入出力特性にバラツキは発生しにくい。
【００２５】
また、発光点５４−１，５４−２，５４−３・・・は個別的には点光源であるが、発光点５４−１，５４−２，５４−３・・・全体では、対応色の感光体ドラム３１の周面に光Ｂを走査可能に構成されている。
【００２６】
ホルダ５１には、上記発光点５４−１，５４−２，５４−３・・・の光軸方向に対向するようにレンズアレイ５３が設けられている。レンズアレイ５３は、マイクロレンズアレイ(MLA: Micro Lens Array)や集光性光伝送体アレイである。マイクロレンズや集光性光伝送体は両端が平面なロッドレンズとすることができる。これにより加工が容易となるため、ＯＬＥＤ−ＰＨ１７の量産が容易となる。このレンズアレイ５３は、発光点５４−１，５４−２，５４−３・・・からの光Ｂを、対応色の感光体ドラム３１の周面に集光する。
【００２７】
以上の構成により、ＯＬＥＤ−ＰＨ１７は、感光体ドラム３１の周面を、対応色の光Ｂで主走査方向（つまり、ｙ軸方向）に走査することが可能となり、これによって、各感光体ドラム３１の周面には、対応色の静電潜像が形成される。
【００２８】
各現像手段３５は、ｙ軸方向に延在する現像ローラを有する。現像ローラは、光Ｂの照射位置の直ぐ下流で、対応色の感光体ドラム３１の周面と対向配置される。この現像手段３５には、例えば、対応色の二成分現像剤が収容される。各現像手段３５は、内蔵の現像ローラを用いて、感光体ドラム３１の周面上にトナーを供給する。これによって、感光体ドラム３１の周面上で、静電潜像は現像され、対応色（単色）のトナー像が形成される。
【００２９】
上記現像プロセスの結果、感光体ドラム３１はトナー像を周面上に担持する。また、感光体ドラム３１は、自身の回転により、担持しているトナー像を回転方向ＣＷの下流へと搬送する。
【００３０】
各転写手段１９は、ｙ軸方向に延在しており、対応色の現像手段３５の直ぐ下流側に、対応色の感光体ドラム３１の周面と、下記の中間転写ベルト２１を挟んで対向するよう配置されている。
【００３１】
中間転写ベルト２１は無端状のベルトである。この中間転写ベルト２１は、各色の転写手段１９及び感光体ドラム３１の間に介在し、駆動ローラ２３及び従動ローラ２５の間に張り渡される。この中間転写ベルト２１は、各転写手段１９によって、各感光体ドラム３１に圧接される。以下、各感光体ドラム３１と中間転写ベルト２１との圧接部分を一次転写領域という。駆動ローラ２３は、図示しないモータから与えられた駆動力によって回転する。従動ローラ２５は、駆動ローラ２３の回転によって従動して回転する。これによって、中間転写ベルト２１は、時計回り（矢印αの方向）に回転する。
【００３２】
各転写手段１９には一次転写バイアス電圧が印加され、これによって、各転写手段１９が中間転写ベルト２１と接触する部分周辺がトナー像と逆極性に帯電する。その結果、感光体ドラム３１により搬送されてくるトナー像が一次転写領域に到達すると、トナー像が中間転写ベルト２１の外周面に移動する。換言すると、中間転写ベルト２１には、各感光体ドラム３１に形成されているトナー像が転写される。以下、中間転写ベルト２１へのトナー像の転写を一次転写という。
【００３３】
ここで、各色の感光体ドラム３１に担持されているトナー像は、中間転写ベルト２１の表面における同一エリアに順次転写される。このような一次転写の結果、中間転写ベルト２１には、各色のトナー像が重なり合った合成トナー像が形成される。中間転写ベルト２１は、合成トナー像を自身の外周面に担持しながら、回転することにより二次転写ローラ２７に向けて合成トナー像を搬送する。
【００３４】
二次転写ローラ２７は、中間転写ベルト２１を挟んで駆動ローラ２３と対向配置されており、中間転写ベルト２１に押圧される。この中間転写ベルト２１と二次転写ローラ２７との当接部分を、以下、二次転写領域という。上記の通り、この二次転写領域には、シートＳが送り込まれ通過すると共に、回転する中間転写ベルト２１に担持された合成トナー像が搬送されてくる。また、二次転写ローラ２７には、二次転写バイアス電圧が印加され、これにより、二次転写ローラ２７は、シートＳの非転写面側で合成トナー像と逆極性に帯電する。その結果、中間転写ベルト２１の表面からシートＳの表面へと合成トナー像が移動する。換言すると、シートＳには、中間転写ベルト２１に担持された合成トナー像が転写される。以下、シートＳへの転写を、二次転写という。
【００３５】
トナー像が転写されたシートＳは、定着手段９に導入される。定着手段９は、シートＳを加熱・加圧することで、合成トナー像をシートＳに定着させる。定着プロセス済みのシートＳは、排出ローラ対１１から排出トレイ１３に印刷物として排出され載置される。
【００３６】
上記各部は、画像形成装置１の本体に内蔵された制御回路３７により制御される。この制御回路３７は、ＣＰＵやメインメモリ等からなり、予め準備されたプログラムに従って動作し、画像形成装置１全体を制御する。
【００３７】
（ＯＬＥＤ−ＰＨの構成）
次に、ＯＬＥＤ−ＰＨ１７の構成について図面を参照しながら説明する。図４は、ＯＬＥＤ−ＰＨ１７の第１グループの回路図である。図５は、ＯＬＥＤ−ＰＨ１７の第２グループの回路図である。図６は、ＯＬＥＤ−ＰＨ１７の第ｍグループの回路図である。図４ないし図６ではそれぞれ、ｎ個の発光点５４−１〜５４−ｎが図示されている。また、ＯＬＥＤ−ＰＨ１７には、第１のグループ〜第ｍのグループが設けられている。よって、発光点は、ｍ×ｎ個設けられている。ｍ×ｎは、前記の通り、一万数千である。なお、第１グループ〜第ｍのグループの構成は同じであるので、以下では、第１のグループに着目して説明する。
【００３８】
ＯＬＥＤ−ＰＨ１７は、図４に示すように、発光点５４−１〜５４−ｎ，セレクタ６０，６１、電流設定部６２、ゲートドライバ６３、スイッチ７０−１〜７０−ｎ，７１−１〜７１−ｎ，７２−１〜７２−ｎ，７５−１〜７５−ｎ，７６−１〜７６−ｎ，７９−１〜７９−ｎ、ドライブ（Ｔｒ）７７−１〜７７−ｎ、コンデンサ７３−１〜７３−ｎ，７４−１〜７４−ｎ及びカレントミラー回路７８−１〜７８−ｎを備えている。
【００３９】
セレクタ６０は、ｙ軸方向に伸びるｎ本の信号線Ｓｉｇ２−１〜Ｓｉｇ２−ｎのそれぞれに対して出力ｃｈ２−１〜ｃｈ２−ｎを出力する。セレクタ６１は、ｙ軸方向に伸びるｎ本の信号線Ｓｉｇ１−１〜１−ｎのそれぞれに対して出力ｃｈ１−１〜ｃｈ１−ｎを出力する。電流設定部６２は、ｙ軸方向に伸びるｍ本の信号線Ｓｉｇ３−１〜Ｓｉｇ３−ｍのそれぞれに対して出力ｃｈ３−１〜ｃｈ３−ｍを出力する。ゲートドライバ６３は、ｎ本の信号線Ｓｉｇ４−１〜Ｓｉｇ４−ｎのそれぞれに対して出力ｃｈ４−１〜ｃｈ４−ｎを出力する。
【００４０】
スイッチ７０−１〜７０−ｎ，７１−１〜７１−ｎ，７２−１〜７２−ｎ，７５−１〜７５−ｎ，７６−１〜７６−ｎ，７９−１〜７９−ｎ、コンデンサ７３−１〜７３−ｎ，７４−１〜７４−ｎ、ドライブ（Ｔｒ）７７−１〜７７−ｎ及びカレントミラー回路７８−１〜７８−ｎはそれぞれ、発光点５４−１〜５４−ｎに対応するように設けられており、ＯＬＥＤ基板５２に形成されている。発光点５４−１、スイッチ７０−１，７１−１，７２−１，７５−１，７６−１，７９−１、コンデンサ７３−１，７４−１、ドライブ（Ｔｒ）７７−１及びカレントミラー回路７８−１は、第１段を構成している。発光点５４−２、スイッチ７０−２，７１−２，７２−２，７５−２，７６−２，７９−２、コンデンサ７３−２，７４−２、ドライブ（Ｔｒ）７７−２及びカレントミラー回路７８−２は、第２段を構成している。発光点５４−ｎ、スイッチ７０−ｎ，７１−ｎ，７２−ｎ，７５−ｎ，７６−ｎ，７９−ｎ、コンデンサ７３−ｎ，７４−ｎドライブ（Ｔｒ）７７−ｎ及びカレントミラー回路７８−ｎは、第ｎ段を構成している。このように、ＯＬＥＤ−ＰＨ１７には、第１段〜第ｎ段が設けられている。第１段〜第ｎ段の構成は同じであるので、以下では、第１段に着目して説明する。
【００４１】
スイッチ７０−１は、ｎチャネル型のトランジスタである。スイッチ７０−１のドレインは、信号線Ｓｉｇ３−１に接続されている。スイッチ７０−１のゲートは、信号線Ｓｉｇ２−１に接続されている。スイッチ７０−１は、信号線Ｓｉｇ２−１の出力ｃｈ２−１がＨレベルである場合に導通し、信号線Ｓｉｇ２−１の出力ｃｈ２−１がＬレベルである場合に遮断する。
【００４２】
スイッチ７１−１は、ｐチャネル型のトランジスタである。スイッチ７１−１のソースは、スイッチ７０−１のソースに接続されている。スイッチ７１−１のゲートは、信号線Ｓｉｇ１−１に接続されている。スイッチ７１−１は、信号線Ｓｉｇ１−１の出力ｃｈ１−１がＬレベルである場合に導通し、信号線Ｓｉｇ１−１の出力ｃｈ１−１がＨレベルである場合に遮断する。
【００４３】
スイッチ７２−１は、ｎチャネル型のトランジスタである。スイッチ７２−１のドレインは、スイッチ７０−１のソースに接続されている。スイッチ７２−１のゲートは、信号線Ｓｉｇ１−１に接続されている。スイッチ７１−１は、信号線Ｓｉｇ１−１の出力ｃｈ１−１がＨレベルである場合に導通し、信号線Ｓｉｇ１−１の出力ｃｈ１−１がＬレベルである場合に遮断する。
【００４４】
スイッチ７５−１は、ｎチャネル型のトランジスタである。スイッチ７５−１のドレインは、スイッチ７１−１のドレインに接続されている。スイッチ７５−１のゲートは、信号線Ｓｉｇ１−１に接続されている。スイッチ７５−１は、信号線Ｓｉｇ１−１の出力ｃｈ１−１がＨレベルである場合に導通し、信号線Ｓｉｇ１−１の出力ｃｈ１−１がＬレベルである場合に遮断する。
【００４５】
スイッチ７６−１は、ｐチャネル型のトランジスタである。スイッチ７６−１のソースは、スイッチ７２−１のソースに接続されている。スイッチ７６−１のゲートは、信号線Ｓｉｇ１−１に接続されている。スイッチ７６−１は、信号線Ｓｉｇ１−１の出力ｃｈ１−１がＬレベルである場合に導通し、信号線Ｓｉｇ１−１の出力ｃｈ１−１がＨレベルである場合に遮断する。
【００４６】
コンデンサ７３−１の一方の電極は、スイッチ７１−１のドレイン及びスイッチ７５−１のドレインとの間に接続されている。コンデンサ７３−１の他方の電極はグランドに接続されている。コンデンサ７３−１には、電流設定部６２からの出力ｃｈ３−１が印加される。これにより、コンデンサ７３−１は、出力ｃｈ３−１の電圧（後述する設定値）を保持する。
【００４７】
コンデンサ７４−１の一方の電極は、スイッチ７２−１のソース及びスイッチ７６−１のソースとの間に接続されている。コンデンサ７４−１の他方の電極はグランドに接続されている。コンデンサ７４−１には、電流設定部６２からの出力ｃｈ３−１が印加される。これにより、コンデンサ７４−１は、出力ｃｈ３−１の電圧（後述する設定値）を保持する。このように、発光点５４−１に対応するように複数のコンデンサ７３−１，７４−１が設けられている。
【００４８】
ドライブ（Ｔｒ）７７−１は、ｎチャネル型のトランジスタである。ドライブ（Ｔｒ）７７−１のドレインは、カレントミラー回路７８−１に接続されている。ドライブ（Ｔｒ）７７−１のゲートは、スイッチ７５−１のソース及びスイッチ７６−１のドレインに接続されている。ドライブ（Ｔｒ）７７−１のソースは、グランドに接続されている。ドライブ（Ｔｒ）７７−１は、スイッチ７５−１が導通している場合には、コンデンサ７３−１が保持している設定値に応じた電流をドレインからソースへと流す。一方、ドライブ（Ｔｒ）７７−１は、スイッチ７６−１が導通している場合には、コンデンサ７４−１が保持している設定値に応じた電流をドレインからソースへと流す。
【００４９】
スイッチ７９−１は、ｎチャネル型のトランジスタである。スイッチ７９−１のドレインは、カレントミラー回路７８−１に接続されている。スイッチ７９−１のゲートは、ゲートドライバ６３の信号線Ｓｉｇ４−１に接続されている。スイッチ７９−１は、信号線Ｓｉｇ４−１の出力ｃｈ４−１がＨレベルである場合に導通し、信号線Ｓｉｇ４−１の出力ｃｈ４−１がＬレベルである場合に遮断する。
【００５０】
カレントミラー回路７８−１は、ドライブ（Ｔｒ）７７−１に流れる電流に応じた電流をスイッチ７９−１に流す。発光点５４−１は、スイッチ７９−１のソースとグランドとの間に接続されており、電流量に応じた強度で発光する。
【００５１】
以上で第１段の説明を終了する。第２段ないし第ｎ段も第１段と同様の構成を有しているので説明を省略する。
【００５２】
電流設定部６２は、制御回路３７が出力するデジタル信号である電流設定値をアナログ信号である設定値に変換し、信号線Ｓｉｇ３−１〜Ｓｉｇ３−ｍのそれぞれに該設定値を出力ｃｈ３−１〜３−ｍとして出力する。電流設定部６２は、例えば、Ｄ／Ａコンバータにより構成されている。
【００５３】
ここで、電流設定値について説明する。発光点５４−１〜５４−ｎから出力された光Ｂは、レンズアレイ５３により集光されて感光体ドラム３１に照射される。発光点５４−１〜５４−ｎから出力され、かつ、感光体ドラム３１に照射される光Ｂの強度は、均一であることが好ましい。しかしながら、レンズアレイ５３の透過率のムラ等によって、感光体ドラム３１に照射される光Ｂの強度にはばらつきが存在する。そこで、画像形成装置１の制御回路３７は、各発光点５４−１〜５４−ｎ毎に電流設定値を設定し、電流設定部６２に出力している。すなわち、電流設定値は、発光点５４−１〜５４−ｎに流れる電流量を設定するための値である。これにより、発光点５４−１〜５４−ｎが出力し、かつ、感光体ドラム３１に照射される光Ｂの強度が、均一になる。
【００５４】
セレクタ６０は、一走査期間において、信号線Ｓｉｇ２−１〜Ｓｉｇ２−ｎのそれぞれに対してＨレベルの出力ｃｈ２−１〜ｃｈ２−ｎを順番に出力する。この際、出力ｃｈ３−１（設定値）の電圧は、発光点５４−１〜５４−ｎに対応する電流設定値に応じて変動している。セレクタ６０は、出力ｃｈ３−１の出力が切り替わるタイミングに合わせて、信号線Ｓｉｇ２−１〜Ｓｉｇ２−ｎのそれぞれに対してＨレベルの出力ｃｈ２−１〜ｃｈ２−ｎを順次出力する。これにより、スイッチ７０−１〜７０−ｎが順次導通し、スイッチ７１−１〜７１−ｎのソース及びスイッチ７２−１〜７２−ｎのドレインへと出力ｃｈ３−１（設定値）に応じた電流が流れる。
【００５５】
セレクタ６１は、信号線Ｓｉｇ１−１〜１−ｎのそれぞれに対してＬレベルの出力ｃｈ１−１〜ｃｈ１−ｎとＨレベルの出力ｃｈ１−１〜ｃｈ１−ｎとを一走査期間毎に切り替えて出力する。出力ｃｈ１−１がＬレベルの期間では、スイッチ７１−１，７６−１が導通し、スイッチ７２−１，７５−１が遮断する。これにより、コンデンサ７３−１に設定値が書き込まれ、コンデンサ７４−１の設定値がドライブ（Ｔｒ）７７−１のゲートに印加される。そのため、ドライブ（Ｔｒ）７７−１には、コンデンサ７４−１が保持している設定値に応じた電流が流れ、カレントミラー回路７８−１からスイッチ７９−１へと該電流に応じた電流が流れる。一方、出力ｃｈ１−１がＨレベルの期間では、スイッチ７２−１，７５−１が導通し、スイッチ７１−１，７６−１が遮断する。これにより、コンデンサ７４−１に設定値が書き込まれ、コンデンサ７３−１の設定値がドライブ（Ｔｒ）７７−１のゲートに印加される。そのため、ドライブ（Ｔｒ）７７−１には、設定値に応じた電流が流れ、カレントミラー回路７８−１からスイッチ７９−１へと該電流に応じた電流が流れる。出力ｃｈ１−２〜ｃｈ１−ｎは、出力ｃｈ１−１と同じであるので説明を省略する。
【００５６】
ゲートドライバ６３は、制御回路３７が出力するビデオ信号に応じた期間だけＨレベルとなる出力ｃｈ４−１〜ｃｈ４−ｎを信号線Ｓｉｇ４−１〜Ｓｉｇ４−ｎに出力する。ビデオ信号は、画素の諧調を示すデジタル信号である。出力ｃｈ４−１〜ｃｈ４−ｎがＨレベルとなる期間の長さはそれぞれ、発光点５４−１〜５４−ｎが発光する長さに相当し、感光体ドラム３１において発光点５４−１〜５４−ｎにより光が照射される画素の諧調に比例している。以下では、出力ｃｈ４−１〜ｃｈ４−ｎがＨレベルとなる期間を発光期間と呼ぶ。よって、出力ｃｈ４−１〜ｃｈ４−ｎがＨレベルとなるそれぞれの発光期間において、スイッチ７９−１〜７９−ｎを介して、発光点５４−１〜５４−ｎに電流が供給される。
【００５７】
第２グループないし第ｍグループは、図４ないし図６に示すように、第１グループと同じ構成を有しているので説明を省略する。ただし、第２グループないし第ｍグループでは、スイッチ７０−１〜７０−ｎのドレインがそれぞれ電流設定部６２の信号線Ｓｉｇ３−２〜Ｓｉｇ３−ｍに接続されている点において第１グループと相違する。
【００５８】
（ＯＬＥＤ−ＰＨの動作）
以下に、ＯＬＥＤ−ＰＨ１７の動作について説明する。図７は、ＯＬＥＤ−ＰＨ１７の動作時のタイミングチャートである。
【００５９】
まず、ＯＬＥＤ−ＰＨ１７の動作の概要について第１段を例に挙げて説明する。ＯＬＥＤ−ＰＨ１７では、ゲートドライバ６３、ドライブ（Ｔｒ）７７−１，７９−１及びカレントミラー回路７８−１（供給手段）は、コンデンサ７４−１により保持されている設定値に基づいて発光点５４−１に対して電流を供給する。一方、セレクタ６１、スイッチ７１−１，７２−１，７５−１，７６−１（選択手段）は、ゲートドライバ６３、ドライブ（Ｔｒ）７７−１，７９−１及びカレントミラー回路７８−１（供給手段）が発光点５４−１に電流を供給している発光期間において、発光点５４−１に対応するコンデンサ７３−１，７４−１の内、発光点５４−１への電流の供給に用いられているコンデンサ７４−１以外のコンデンサ７３−１を選択する。セレクタ６０、電流設定部６２及びスイッチ７０−１（書き込み手段）は、セレクタ６１、スイッチ７１−１，７２−１，７５−１，７６−１（選択手段）により選択されたコンデンサ７３−１に、ゲートドライバ６３、ドライブ（Ｔｒ）７７−１，７９−１及びカレントミラー回路７８−１（供給手段）により電流を供給されている発光点５４−１の次の発光期間において用いられる設定値を書き込む。これにより、発光点５４−１の発光とコンデンサ７３−１への設定値の書き込みが同時に行われている。
【００６０】
また、ＯＬＥＤ−ＰＨ１７では、ゲートドライバ６３、ドライブ（Ｔｒ）７７−１，７９−１及びカレントミラー回路７８−１（供給手段）は、コンデンサ７３−１により保持されている設定値に基づいて発光点５４−１に対して電流を供給する。一方、セレクタ６１、スイッチ７１−１，７２−１，７５−１，７６−１（選択手段）は、ゲートドライバ６３、ドライブ（Ｔｒ）７７−１，７９−１及びカレントミラー回路７８−１（供給手段）が発光点５４−１に電流を供給している発光期間において、発光点５４−１に対応するコンデンサ７３−１，７４−１の内、発光点５４−１への電流の供給に用いられているコンデンサ７３−１以外のコンデンサ７４−１を選択する。セレクタ６０、電流設定部６２及びスイッチ７０−１（書き込み手段）は、セレクタ６１、スイッチ７１−１，７２−１，７５−１，７６−１（選択手段）により選択されたコンデンサ７４−１に、ゲートドライバ６３、ドライブ（Ｔｒ）７７−１，７９−１及びカレントミラー回路７８−１（供給手段）により電流を供給されている発光点５４−１の次の発光期間において用いられる設定値を書き込む。これにより、発光点５４−１の発光とコンデンサ７４−１への設定値の書き込みが同時に行われている。以下に、ＯＬＥＤ−ＰＨ１７の動作の詳細について説明する。
【００６１】
時刻ｔ１〜ｔ５において、第１段における発光点５４−１の発光とコンデンサ７３−１への設定値の書き込みが行われる。具体的には、時刻ｔ１〜ｔ２において、電流設定部６２は、発光点５４−１に対応する電流設定値を設定値に変換し、該設定値を出力ｃｈ３−１として出力する。更に、セレクタ６０は、Ｈレベルの出力ｃｈ２−１を出力し、セレクタ６１は、Ｌレベルの出力ｃｈ１−１を出力する。これにより、スイッチ７０−１，７１−１，７６−１が導通する。ゲートドライバ６３は、時刻ｔ１からビデオ信号に応じた期間だけＨレベルとなる出力ｃｈ４−１を出力する。これにより、発光点５４−１は、時刻ｔ１〜ｔ５において、ビデオ信号に応じた期間だけ発光する。発光点５４−１の発光強度は、コンデンサ７４−１が保持している設定値に応じた強度である。一方、時刻ｔ１〜ｔ２において、コンデンサ７３−１には、出力ｃｈ３−１である設定値が書き込まれる。この後、時刻ｔ２〜ｔ５では、セレクタ６０は、Ｌレベルの出力ｃｈ２−１を出力する。これにより、スイッチ７０−１が遮断し、コンデンサ７３−１は、設定値を保持する。
【００６２】
次に、時刻ｔ２〜ｔ６において、第２段における発光点５４−２の発光とコンデンサ７３−２への設定値の書き込みが行われる。時刻ｔ２〜ｔ３において、電流設定部６２は、発光点５４−２に対応する電流設定値を設定値に変換し、該設定値を出力ｃｈ３−１として出力する。更に、セレクタ６０は、Ｈレベルの出力ｃｈ２−２を出力し、セレクタ６１は、Ｌレベルの出力ｃｈ１−２を出力する。これにより、スイッチ７０−２，７１−２，７６−２が導通する。ゲートドライバ６３は、時刻ｔ２からビデオ信号に応じた期間だけＨレベルとなる出力ｃｈ４−２を出力する。これにより、発光点５４−２は、時刻ｔ２〜ｔ６において、ビデオ信号に応じた期間だけ発光する。発光点５４−２の発光強度は、コンデンサ７４−２が保持している設定値に応じた強度である。一方、時刻ｔ２〜ｔ３において、コンデンサ７３−２には、出力ｃｈ３−１である設定値が書き込まれる。この後、時刻ｔ３〜ｔ６では、セレクタ６０は、Ｌレベルの出力ｃｈ２−２を出力する。これにより、スイッチ７０−２が遮断し、コンデンサ７３−２は、設定値を保持する。この後、第３段ないし第ｎ−１段は、第１段及び第２段と同じ動作を行う。ただし、第３段ないし第ｎ−１段の説明については省略する。
【００６３】
次に、時刻ｔ４〜ｔ８において、第ｎ段の発光点５４−ｎの発光とコンデンサ７３−ｎへの設定値の書き込みが行われる。時刻ｔ４〜ｔ５において、電流設定部６２は、発光点５４−ｎに対応する電流設定値を設定値に変換し、該設定値を出力ｃｈ３−１として出力する。更に、セレクタ６０は、Ｈレベルの出力ｃｈ２−ｎを出力し、セレクタ６１は、Ｌレベルの出力ｃｈ１−ｎを出力する。これにより、スイッチ７０−ｎ，７１−ｎ，７６−ｎが導通する。ゲートドライバ６３は、時刻ｔ４からビデオ信号に応じた期間だけＨレベルとなる出力ｃｈ４−ｎを出力する。これにより、発光点５４−ｎは、時刻ｔ４〜ｔ８において、ビデオ信号に応じた期間だけ発光する。発光点５４−ｎの発光強度は、コンデンサ７４−ｎが保持している設定値に応じた強度である。一方、時刻ｔ４〜ｔ５において、コンデンサ７３−ｎには、出力ｃｈ３−１である設定値が書き込まれる。この後、時刻ｔ５〜ｔ８では、セレクタ６０は、Ｌレベルの出力ｃｈ２−ｎを出力する。これにより、スイッチ７０−ｎが遮断し、コンデンサ７３−２は、設定値を保持する。
【００６４】
次に、時刻ｔ５〜ｔ９において、第１段における発光点５４−１の発光とコンデンサ７４−１への設定値の書き込みが行われる。具体的には、時刻ｔ５〜ｔ６において、電流設定部６２は、発光点５４−１に対応する電流設定値を設定値に変換し、該設定値を出力ｃｈ３−１として出力する。更に、セレクタ６０は、Ｈレベルの出力ｃｈ２−１を出力し、セレクタ６１は、Ｈレベルの出力ｃｈ１−１を出力する。これにより、スイッチ７０−１，７２−１，７５−１が導通する。ゲートドライバ６３は、時刻ｔ５からビデオ信号に応じた期間だけＨレベルとなる出力ｃｈ４−１を出力する。これにより、発光点５４−１は、時刻ｔ５〜ｔ９において、ビデオ信号に応じた期間だけ発光する。発光点５４−１の発光強度は、コンデンサ７３−１が保持している設定値に応じた強度である。一方、時刻ｔ５〜ｔ６において、コンデンサ７４−１には、出力ｃｈ３−１である設定値が書き込まれる。この後、時刻ｔ６〜ｔ９では、セレクタ６０は、Ｌレベルの出力ｃｈ２−１を出力する。これにより、スイッチ７０−１が遮断し、コンデンサ７４−１は、設定値を保持する。
【００６５】
次に、時刻ｔ６〜ｔ１０において、第２段における発光点５４−２の発光とコンデンサ７４−２への設定値の書き込みが行われる。具体的には、時刻ｔ６〜ｔ７において、電流設定部６２は、発光点５４−２に対応する電流設定値を設定値に変換し、該設定値を出力ｃｈ３−１として出力する。更に、セレクタ６０は、Ｈレベルの出力ｃｈ２−２を出力し、セレクタ６１は、Ｈレベルの出力ｃｈ１−２を出力する。これにより、スイッチ７０−２，７２−２，７５−２が導通する。ゲートドライバ６３は、時刻ｔ６からビデオ信号に応じた期間だけＨレベルとなる出力ｃｈ４−２を出力する。これにより、発光点５４−２は、時刻ｔ６〜ｔ１０において、ビデオ信号に応じた期間だけ発光する。発光点５４−２の発光強度は、コンデンサ７３−２が保持している設定値に応じた強度である。一方、時刻ｔ６〜ｔ７において、コンデンサ７４−２には、出力ｃｈ３−１である設定値が書き込まれる。この後、時刻ｔ７〜ｔ１０では、セレクタ６０は、Ｌレベルの出力ｃｈ２−２を出力する。これにより、スイッチ７０−２が遮断し、コンデンサ７４−２は、設定値を保持する。時刻ｔ７〜ｔ１０の間において、第３段ないし第ｎ−１段は、第１段及び第２段と同じ動作を行う。ただし、第３段ないし第ｎ−１段の説明については省略する。
【００６６】
次に、時刻ｔ８〜ｔ１２において、第ｎ段における発光点５４−ｎの発光とコンデンサ７４−ｎへの設定値の書き込みが行われる。具体的には、時刻ｔ８〜ｔ９において、電流設定部６２は、発光点５４−ｎに対応する電流設定値を設定値に変換し、該設定値を出力ｃｈ３−１として出力する。更に、セレクタ６０は、Ｈレベルの出力ｃｈ２−ｎを出力し、セレクタ６１は、Ｈレベルの出力ｃｈ１−ｎを出力する。これにより、スイッチ７０−ｎ，７２−ｎ，７５−ｎが導通する。ゲートドライバ６３は、時刻ｔ８からビデオ信号に応じた期間だけＨレベルとなる出力ｃｈ４−ｎを出力する。これにより、発光点５４−ｎは、時刻ｔ８〜ｔ１２において、ビデオ信号に応じた期間だけ発光する。発光点５４−ｎの発光強度は、コンデンサ７３−ｎが保持している設定値に応じた強度である。一方、時刻ｔ８〜ｔ９において、コンデンサ７４−ｎには、出力ｃｈ３−１である設定値が書き込まれる。この後、時刻ｔ９〜ｔ１２では、セレクタ６０は、Ｌレベルの出力ｃｈ２−ｎを出力する。これにより、スイッチ７０−ｎが遮断し、コンデンサ７４−ｎは、設定値を保持する。以後、時刻ｔ１〜ｔ１２と同じ動作が繰り返される。なお、ここでは、第１グループの動作のみを説明したが、第２グループないし第ｍグループについても、第１グループと並行して同じ動作が実行されている。
【００６７】
（効果）
前記ＯＬＥＤ−ＰＨ１７によれば、発光期間を長くすることができる。より詳細には、ＯＬＥＤ−ＰＨ１７では、セレクタ６１、スイッチ７１−１，７２−１，７５−１，７６−１（選択手段）は、ゲートドライバ６３、ドライブ（Ｔｒ）７７−１，７９−１及びカレントミラー回路７８−１（供給手段）が発光点５４−１に電流を供給している発光期間において、発光点５４−１に対応するコンデンサ７３−１，７４−１の内、発光点５４−１への電流の供給に用いられているコンデンサ７４−１以外のコンデンサ７３−１を選択する。そして、セレクタ６０、電流設定部６２及びスイッチ７０−１（書き込み手段）は、セレクタ６１、スイッチ７１−１，７２−１，７５−１，７６−１（選択手段）により選択されたコンデンサ７３−１に、ゲートドライバ６３、ドライブ（Ｔｒ）７７−１，７９−１及びカレントミラー回路７８−１（供給手段）により電流を供給されている発光点５４−１の次の発光期間において用いられる設定値を書き込んでいる。これにより、発光点５４−１の発光とコンデンサ７３−１への設定値の書き込みが同時に行われている。また、同様の動作により、発光点５４−１の発光とコンデンサ７４−１への書き込みが同時に行われる。その結果、ＯＬＥＤ−ＰＨ１７において、発光点５４−１が発光しない非発光期間をなくす又は短くすることができ、発光期間を長くすることができる。
【００６８】
（ＯＬＥＤ−ＰＨ１７ａの変形例）
次に、ＯＬＥＤ−ＰＨ１７ａの変形例の構成について図面を参照しながら説明する。図８は、ＯＬＥＤ−ＰＨ１７ａの第１グループの回路図である。図８では、２個の発光点５４−１，５４−２が図示されている。ただし、２個の発光点が１つのグループに設けられており、第１のグループ〜第ｍのグループがＯＬＥＤ−ＰＨ１７に設けられている。よって、発光点は、２ｍ個設けられている。２ｍは、前記の通り、一万数千である。なお、第１グループ〜第ｍのグループの構成は同じであるので、以下では、第１のグループに着目して説明する。
【００６９】
ＯＬＥＤ−ＰＨ１７ａは、図８に示すように、発光点５４−１，５４−２，セレクタ６０，６１、電流設定部６２、ゲートドライバ６３、ドライブ（Ｔｒ）７７−１，７７−２，７９−１，７９−２，８０−１，８０−２，８１−１，８１−２，８２−１，８２−２，８３〜８５、コンデンサ７３−１〜７３−３及びカレントミラー回路７８−１，７８−２を備えている。
【００７０】
セレクタ６０は、３本の信号線Ｓｉｇ２−１〜Ｓｉｇ２−３のそれぞれに対して出力ｃｈ２−１〜ｃｈ２−３を出力する。セレクタ６１は、６本の信号線Ｓｉｇ１−１〜１−６のそれぞれに対して出力ｃｈ１−１〜ｃｈ１−６を出力する。電流設定部６２は、ｙ軸方向に伸びるｍ本の信号線Ｓｉｇ３−１〜Ｓｉｇ３−ｍのそれぞれに対して出力ｃｈ３−１〜ｃｈ３−ｍを出力する。ゲートドライバ６３は、ｎ本の信号線Ｓｉｇ４−１，Ｓｉｇ４−２のそれぞれに対して出力ｃｈ４−１，ｃｈ４−２を出力する。
【００７１】
ドライブ（Ｔｒ）７７−１、スイッチ７９−１，８０−１，８１−１，８２−１及びカレントミラー回路７８−１は、発光点５４−１に対応するように設けられており、ＯＬＥＤ基板５２に形成されている。発光点５４−１、ドライブ（Ｔｒ）７７−１、スイッチ７９−１，８０−１，８１−１，８２−１及びカレントミラー回路７８−１は、第１段を構成している。ドライブ（Ｔｒ）７７−２、スイッチ７９−２，８０−２，８１−２，８２−２及びカレントミラー回路７８−２は、発光点５４−２に対応するように設けられており、ＯＬＥＤ基板５２に形成されている。発光点５４−２、ドライブ（Ｔｒ）７７−２、スイッチ７９−２，８０−２，８１−２，８２−２及びカレントミラー回路７８−２は、第２段を構成している。第１段及び第２段は、第１グループを構成している。第１グループは、第１段及び第２段に加えて、コンデンサ７３−１〜７３−３及びスイッチ８３〜８５を有している。そして、ＯＬＥＤ−ＰＨ１７ａには、第１グループないし第ｍグループが設けられている。第１グループ〜第ｍグループの構成は同じであるので、以下では、第１グループに着目して説明する。
【００７２】
スイッチ８３は、ｎチャネル型のトランジスタである。スイッチ８３のドレインは、信号線Ｓｉｇ３−１に接続されている。スイッチ８３のゲートは、信号線Ｓｉｇ２−１に接続されている。スイッチ８３は、信号線Ｓｉｇ２−１の出力ｃｈ２−１がＨレベルである場合に導通し、信号線Ｓｉｇ２−１の出力ｃｈ２−１がＬレベルである場合に遮断する。
【００７３】
スイッチ８４は、ｎチャネル型のトランジスタである。スイッチ８４のドレインは、信号線Ｓｉｇ３−１に接続されている。スイッチ８４のゲートは、信号線Ｓｉｇ２−２に接続されている。スイッチ８４は、信号線Ｓｉｇ２−２の出力ｃｈ２−２がＨレベルである場合に導通し、信号線Ｓｉｇ２−２の出力ｃｈ２−２がＬレベルである場合に遮断する。
【００７４】
スイッチ８５は、ｎチャネル型のトランジスタである。スイッチ８５のドレインは、信号線Ｓｉｇ３−１に接続されている。スイッチ８５のゲートは、信号線Ｓｉｇ２−３に接続されている。スイッチ８５は、信号線Ｓｉｇ２−３の出力ｃｈ２−３がＨレベルである場合に導通し、信号線Ｓｉｇ２−３の出力ｃｈ２−３がＬレベルである場合に遮断する。
【００７５】
コンデンサ７３−１の一方の電極は、スイッチ８３のソースに接続されている。コンデンサ７３−１の他方の電極はグランドに接続されている。コンデンサ７３−１には、電流設定部６２からの出力ｃｈ３−１が印加される。これにより、コンデンサ７３−１は、出力ｃｈ３−１である設定値を保持する。
【００７６】
コンデンサ７３−２の一方の電極は、スイッチ８４のソースに接続されている。コンデンサ７３−２の他方の電極はグランドに接続されている。コンデンサ７３−２には、電流設定部６２からの出力ｃｈ３−１が印加される。これにより、コンデンサ７３−２は、出力ｃｈ３−１である設定値を保持する。
【００７７】
コンデンサ７３−３の一方の電極は、スイッチ８５のドレインに接続されている。コンデンサ７３−３の他方の電極はグランドに接続されている。コンデンサ７３−３には、電流設定部６２からの出力ｃｈ３−１が印加される。これにより、コンデンサ７３−２は、出力ｃｈ３−１である設定値を保持する。以上のように、第１グループにおいて、コンデンサ７３−１〜７３−３は、発光点５４−１，５４−２よりも多く設けられている。
【００７８】
スイッチ８０−１は、ｎチャネル型のトランジスタである。スイッチ８０−１のドレインは、コンデンサ７３−１の一方の電極に接続されている。スイッチ８０−１のゲートは、信号線Ｓｉｇ１−１に接続されている。スイッチ８０−１は、信号線Ｓｉｇ１−１の出力ｃｈ１−１がＨレベルである場合に導通し、信号線Ｓｉｇ１−１の出力ｃｈ１−１がＬレベルである場合に遮断する。
【００７９】
スイッチ８１−１は、ｎチャネル型のトランジスタである。スイッチ８１−１のドレインは、コンデンサ７３−２の一方の電極に接続されている。スイッチ８１−１のゲートは、信号線Ｓｉｇ１−２に接続されている。スイッチ８１−１は、信号線Ｓｉｇ１−２の出力ｃｈ１−２がＨレベルである場合に導通し、信号線Ｓｉｇ１−２の出力ｃｈ１−２がＬレベルである場合に遮断する。
【００８０】
スイッチ８２−１は、ｎチャネル型のトランジスタである。スイッチ８２−１のドレインは、コンデンサ７３−３の一方の電極に接続されている。スイッチ８２−１のゲートは、信号線Ｓｉｇ１−３に接続されている。スイッチ８２−１は、信号線Ｓｉｇ１−３の出力ｃｈ１−３がＨレベルである場合に導通し、信号線Ｓｉｇ１−３の出力ｃｈ１−３がＬレベルである場合に遮断する。
【００８１】
ドライブ（Ｔｒ）７７−１は、ｎチャネル型のトランジスタである。ドライブ（Ｔｒ）７７−１のドレインは、カレントミラー回路７８−１に接続されている。ドライブ（Ｔｒ）７７−１のゲートは、スイッチ８０−１のソース、スイッチ８１−１のソース及びスイッチ８２−１のソースに接続されている。ドライブ（Ｔｒ）７７−１のソースは、グランドに接続されている。ドライブ（Ｔｒ）７７−１は、スイッチ８０−１が導通している場合には、コンデンサ７３−１が保持している設定値に応じた電流をドレインからソースへと流す。また、ドライブ（Ｔｒ）７７−１は、スイッチ８１−１が導通している場合には、コンデンサ７３−２が保持している設定値に応じた電流をドレインからソースへと流す。また、ドライブ（Ｔｒ）７７−１は、スイッチ８２−１が導通している場合には、コンデンサ７３−３が保持している設定値に応じた電流をドレインからソースへと流す。
【００８２】
スイッチ７９−１は、ｎチャネル型のトランジスタである。スイッチ７９−１のドレインは、カレントミラー回路７８−１に接続されている。スイッチ７９−１のゲートは、ゲートドライバ６３の信号線Ｓｉｇ４−１に接続されている。スイッチ７９−１は、信号線Ｓｉｇ４−１の出力ｃｈ４−１がＨレベルである場合に導通し、信号線Ｓｉｇ４−１の出力ｃｈ４−１がＬレベルである場合に遮断する。
【００８３】
カレントミラー回路７８−１は、ドライブ（Ｔｒ）７７−１に流れる電流に応じた電流をスイッチ７９−１に流す。発光点５４−１は、スイッチ７９−１のソースとグランドとの間に接続されており、電流量に応じた強度で発光する。
【００８４】
スイッチ８０−２は、ｎチャネル型のトランジスタである。スイッチ８０−２のドレインは、コンデンサ７３−１の一方の電極に接続されている。スイッチ８０−２のゲートは、信号線Ｓｉｇ１−４に接続されている。スイッチ８０−２は、信号線Ｓｉｇ１−４の出力ｃｈ１−４がＨレベルである場合に導通し、信号線Ｓｉｇ１−４の出力ｃｈ１−４がＬレベルである場合に遮断する。
【００８５】
スイッチ８１−２は、ｎチャネル型のトランジスタである。スイッチ８１−２のドレインは、コンデンサ７３−２の一方の電極に接続されている。スイッチ８１−２のゲートは、信号線Ｓｉｇ１−５に接続されている。スイッチ８１−２は、信号線Ｓｉｇ１−５の出力ｃｈ１−５がＨレベルである場合に導通し、信号線Ｓｉｇ１−５の出力ｃｈ１−５がＬレベルである場合に遮断する。
【００８６】
スイッチ８２−２は、ｎチャネル型のトランジスタである。スイッチ８２−２のドレインは、コンデンサ７３−３の一方の電極に接続されている。スイッチ８２−３のゲートは、信号線Ｓｉｇ１−６に接続されている。スイッチ８２−３は、信号線Ｓｉｇ１−６の出力ｃｈ１−６がＨレベルである場合に導通し、信号線Ｓｉｇ１−６の出力ｃｈ１−６がＬレベルである場合に遮断する。
【００８７】
ドライブ（Ｔｒ）７７−２は、ｎチャネル型のトランジスタである。ドライブ（Ｔｒ）７７−２のドレインは、カレントミラー回路７８−２に接続されている。ドライブ（Ｔｒ）７７−２のゲートは、スイッチ８０−２のソース、スイッチ８１−２のソース及びスイッチ８２−２のソースに接続されている。ドライブ（Ｔｒ）７７−２のソースは、グランドに接続されている。ドライブ（Ｔｒ）７７−２は、スイッチ８０−２が導通している場合には、コンデンサ７３−１が保持している設定値に応じた電流をドレインからソースへと流す。また、ドライブ（Ｔｒ）７７−２は、スイッチ８１−２が導通している場合には、コンデンサ７３−２が保持している設定値に応じた電流をドレインからソースへと流す。また、ドライブ（Ｔｒ）７７−２は、スイッチ８２−２が導通している場合には、コンデンサ７３−３が保持している設定値に応じた電流をドレインからソースへと流す。
【００８８】
スイッチ７９−２は、ｎチャネル型のトランジスタである。スイッチ７９−２のドレインは、カレントミラー回路７８−２に接続されている。スイッチ７９−２のゲートは、ゲートドライバ６３の信号線Ｓｉｇ４−２に接続されている。スイッチ７９−２は、信号線Ｓｉｇ４−２の出力ｃｈ４−２がＨレベルである場合に導通し、信号線Ｓｉｇ４−２の出力ｃｈ４−２がＬレベルである場合に遮断する。
【００８９】
カレントミラー回路７８−２は、ドライブ（Ｔｒ）７７−２に流れる電流に応じた電流をスイッチ７９−２に流す。発光点５４−２は、スイッチ７９−２のソースとグランドとの間に接続されており、電流量に応じた強度で発光する。
【００９０】
以上で第１グループの説明を終了する。第２グループないし第ｍグループは、第１グループと同様に、第１段及び第２段を有している。第２グループないし第ｍグループではそれぞれ、スイッチ８３〜８５のドレインがそれぞれ電流設定部６２の信号線Ｓｉｇ３−２〜Ｓｉｇ３−ｍに接続されている点において第１グループと相違する。第２グループないし第ｍグループにおけるそれ以外の構成については、第１グループと同じであるので説明を省略する。
【００９１】
電流設定部６２は、制御回路３７が出力するデジタル信号である電流設定値をアナログ信号である設定値に変換し、信号線Ｓｉｇ３−１〜Ｓｉｇ３−ｍのそれぞれに該設定値を出力ｃｈ３−１〜ｃｈ３−ｍとして出力する。電流設定部６２は、例えば、Ｄ／Ａコンバータにより構成されている。電流設定値については既に説明を行ったので説明を省略する。
【００９２】
セレクタ６０は、一走査期間の半分の期間において、信号線Ｓｉｇ２−１〜Ｓｉｇ２−３のそれぞれに対してＨレベルの出力ｃｈ２−１〜ｃｈ２−３を順番に出力する。この際、出力ｃｈ３−１は、発光点５４−１，５４−２に対応する電流設定値に応じて変動している。セレクタ６０は、出力ｃｈ３−１の出力が切り替わるタイミングに合わせて、信号線Ｓｉｇ２−１〜Ｓｉｇ２−３のそれぞれに対してＨレベルの出力ｃｈ２−１〜ｃｈ２−３を順次出力する。これにより、スイッチ８３〜８５が順次導通し、コンデンサ７３−１〜７３−３に設定値が順番に書き込まれる。
【００９３】
セレクタ６１は、信号線Ｓｉｇ１−１〜１−６のそれぞれに対してＬレベルの出力ｃｈ１−１〜ｃｈ１−６とＨレベルの出力ｃｈ１−１〜ｃｈ１−６とを切り替えて出力する。出力ｃｈ１−１がＨレベルの期間では、スイッチ８０−１が導通する。これにより、コンデンサ７３−１の設定値がドライブ（Ｔｒ）７７−１のゲートに印加される。そのため、ドライブ（Ｔｒ）７７−１には、設定値に応じた電流が流れ、カレントミラー回路７８−１からスイッチ７９−１へと該電流に応じた電流が流れる。出力ｃｈ１−２がＨレベルの期間では、スイッチ８１−１が導通する。これにより、コンデンサ８１−１の設定値がドライブ（Ｔｒ）７７−１のゲートに印加される。そのため、ドライブ（Ｔｒ）７７−１には、設定値に応じた電流が流れ、カレントミラー回路７８−１からスイッチ７９−１へと該電流に応じた電流が流れる。出力ｃｈ１−３がＨレベルの期間では、スイッチ８２−１が導通する。これにより、コンデンサ７３−３の設定値がドライブ（Ｔｒ）７７−１のゲートに印加される。そのため、ドライブ（Ｔｒ）７７−１には、設定値に応じた電流が流れ、カレントミラー回路７８−１からスイッチ７９−１へと該電流に応じた電流が流れる。出力ｃｈ１−４がＨレベルの期間では、スイッチ８０−２が導通する。これにより、コンデンサ７３−１の設定値がドライブ（Ｔｒ）７７−２のゲートに印加される。そのため、ドライブ（Ｔｒ）７７−２には、設定値に応じた電流が流れ、カレントミラー回路７８−２からスイッチ７９−２へと該電流に応じた電流が流れる。出力ｃｈ１−５がＨレベルの期間では、スイッチ８１−２が導通する。これにより、コンデンサ７３−２の設定値がドライブ（Ｔｒ）７７−２のゲートに印加される。そのため、ドライブ（Ｔｒ）７７−２には、設定値に応じた電流が流れ、カレントミラー回路７８−２からスイッチ７９−２へと該電流に応じた電流が流れる。出力ｃｈ１−６がＨレベルの期間では、スイッチ８２−２が導通する。これにより、コンデンサ７３−３の設定値がドライブ（Ｔｒ）７７−２のゲートに印加される。そのため、ドライブ（Ｔｒ）７７−２には、設定値に応じた電流が流れ、カレントミラー回路７８−２からスイッチ７９−２へと該電流に応じた電流が流れる。
【００９４】
ゲートドライバ６３は、ビデオ信号に応じた期間だけＨレベルとなる出力ｃｈ４−１，ｃｈ４−２を信号線Ｓｉｇ４−１，Ｓｉｇ４−２に出力する。出力ｃｈ４−１，ｃｈ４−２がＨレベルとなる期間の長さはそれぞれ、発光点５４−１，５４−２が発光する長さに相当し、感光体ドラム３１において発光点５４−１，５４−２により光が照射される画素の諧調に比例している。以下では、出力ｃｈ４−１，ｃｈ４−２がＨレベルとなる期間を発光期間と呼ぶ。よって、出力ｃｈ４−１，ｃｈ４−２がＨレベルとなるそれぞれの発光期間において、スイッチ７９−１，７９−２を介して、発光点５４−１〜５４−２に電流が供給される。
【００９５】
（ＯＬＥＤ−ＰＨの動作）
以下に、ＯＬＥＤ−ＰＨ１７ａの動作について説明する。図９は、ＯＬＥＤ−ＰＨ１７ａの動作時のタイミングチャートである。
【００９６】
まず、ＯＬＥＤ−ＰＨ１７ａの動作の概要について第１グループを例に挙げて説明する。ＯＬＥＤ−ＰＨ１７では、セレクタ６１、ゲートドライバ６３、ドライブ（Ｔｒ）７７−１、スイッチ７９−１，８１−１及びカレントミラー回路７８−１（供給手段）は、コンデンサ７３−２により保持されている設定値に基づいて発光点５４−１に対して電流を供給する。セレクタ６１、ゲートドライバ６３、ドライブ（Ｔｒ）７７−２、スイッチ７９−２，８０−２及びカレントミラー回路７８−２（供給手段）は、コンデンサ７３−１により保持されている設定値に基づいて発光点５４−２に対して電流を供給する。一方、セレクタ６０及びスイッチ８５（選択手段）は、セレクタ６１、ゲートドライバ６３、ドライブ（Ｔｒ）７７−１、スイッチ７９−１，８１−１及びカレントミラー回路７８−１（供給手段）が発光点５４−１に電流を供給し、かつ、セレクタ６１、ゲートドライバ６３、ドライブ（Ｔｒ）７７−２、スイッチ７９−２，８０−２及びカレントミラー回路７８−２（供給手段）が発光点５４−２に電流を供給している発光期間において、発光点５４−１，５４−２に対応するコンデンサ７３−１〜７３−３の内、発光点５４−１，５４−２への電流の供給に用いられているコンデンサ７３−１，７３−２以外のコンデンサ７３−３を選択する。電流設定部６２（書き込み手段）は、セレクタ６０及びスイッチ８５（選択手段）により選択されたコンデンサ７３−３に、セレクタ６１、ゲートドライバ６３、ドライブ（Ｔｒ）７７−１、スイッチ７９−１，８１−１及びカレントミラー回路７８−１（供給手段）により電流を供給されている発光点５４−１の次の発光期間において用いられる設定値を書き込む。これにより、発光点５４−１，５４−２の発光とコンデンサ７３−３への設定値の書き込みとが同時に行われている。なお、同様の動作により、発光点５４−１，５４−２の発光とコンデンサ７３−１への設定値の書き込みとを同時に行うことができる。また、発光点５４−１，５４−２の発光とコンデンサ７３−２への設定値の書き込みとを同時に行うことができる。以下に、ＯＬＥＤ−ＰＨ１７の動作の詳細について説明する。
【００９７】
時刻ｔ１〜ｔ２において、発光点５４−１，５４−２の発光とコンデンサ７３−１への設定値の書き込みが行われる。具体的には、電流設定部６２は、発光点５４−１に対応する電流設定値を設定値に変換して、該設定値を出力ｃｈ３−１として出力する。更に、セレクタ６０は、Ｈレベルの出力ｃｈ２−１を出力し、セレクタ６１は、Ｈレベルの出力ｃｈ１−２，ｃｈ１−６を出力する。これにより、スイッチ８１−１，８２−２が導通する。ゲートドライバ６３は、ビデオ信号に基づいてＨレベルの出力ｃｈ４−１を出力し、ビデオ信号に基づいてＨレベルの出力ｃｈ４−２を出力する。これにより、発光点５４−１，５４−２は、ビデオ信号に応じた期間だけ発光する。発光点５４−１の発光強度は、コンデンサ７３−２が保持している設定値に応じた強度である。発光点５４−２の発光強度は、コンデンサ７３−３が保持している設定値に応じた強度である。更に、コンデンサ７３−１には、出力ｃｈ３−１である設定値が書き込まれる。
【００９８】
時刻ｔ２〜ｔ３において、発光点５４−１，５４−２の発光とコンデンサ７３−２への設定値の書き込みが行われる。具体的には、電流設定部６２は、発光点５４−２に対応する電流設定値を設定値に変換し、該設定値を出力ｃｈ３−１として出力する。更に、セレクタ６０は、Ｈレベルの出力ｃｈ２−２を出力し、セレクタ６１は、Ｈレベルの出力ｃｈ１−１，ｃｈ１−６を出力する。これにより、スイッチ８０−１，８２−２が導通する。ゲートドライバ６３は、ビデオ信号に基づいてＨレベルの出力ｃｈ４−１を出力し、ビデオ信号に基づいてＨレベルの出力ｃｈ４−２を出力する。これにより、発光点５４−１，５４−２は、ビデオ信号に応じた期間だけ発光する。発光点５４−１の発光強度は、コンデンサ７３−１が保持している設定値に応じた強度である。発光点５４−２の発光強度は、コンデンサ７３−３が保持している設定値に応じた強度である。更に、コンデンサ７３−２には、出力ｃｈ３−１である設定値が書き込まれる。
【００９９】
時刻ｔ３〜ｔ４において、発光点５４−１，５４−２の発光とコンデンサ７３−３への設定値の書き込みが行われる。具体的には、電流設定部６２は、発光点５４−１に対応する電流設定値を設定値に変換し、該設定値を出力ｃｈ３−１として出力する。更に、セレクタ６０は、Ｈレベルの出力ｃｈ２−３を出力し、セレクタ６１は、Ｈレベルの出力ｃｈ１−１，ｃｈ１−５を出力する。これにより、スイッチ８０−１，８１−２が導通する。ゲートドライバ６３は、ビデオ信号に基づいてＨレベルの出力ｃｈ４−１を出力し、ビデオ信号に基づいてＨレベルの出力ｃｈ４−２を出力する。これにより、発光点５４−１，５４−２は、ビデオ信号に応じた期間だけ発光する。発光点５４−１の発光強度は、コンデンサ７３−１が保持している設定値に応じた強度である。発光点５４−２の発光強度は、コンデンサ７３−２が保持している設定値に応じた強度である。更に、コンデンサ７３−３には、出力ｃｈ３−１である設定値が書き込まれる。
【０１００】
時刻ｔ４〜ｔ５において、発光点５４−１，５４−２の発光とコンデンサ７３−１への設定値の書き込みが行われる。具体的には、電流設定部６２は、発光点５４−２に対応する電流設定値を設定値に変換し、該設定値を出力ｃｈ３−１として出力する。更に、セレクタ６０は、Ｈレベルの出力ｃｈ２−１を出力し、セレクタ６１は、Ｈレベルの出力ｃｈ１−３，ｃｈ１−５を出力する。これにより、スイッチ８２−１，８１−２が導通する。ゲートドライバ６３は、ビデオ信号に基づいてＨレベルの出力ｃｈ４−１を出力し、ビデオ信号に基づいてＨレベルの出力ｃｈ４−２を出力する。これにより、発光点５４−１，５４−２は、ビデオ信号に応じた期間だけ発光する。発光点５４−１の発光強度は、コンデンサ７３−３が保持している設定値に応じた強度である。発光点５４−２の発光強度は、コンデンサ７３−２が保持している設定値に応じた強度である。更に、コンデンサ７３−１には、出力ｃｈ３−１である設定値が書き込まれる。
【０１０１】
時刻ｔ５〜ｔ６において、発光点５４−１，５４−２の発光とコンデンサ７３−２への設定値の書き込みが行われる。具体的には、電流設定部６２は、発光点５４−１に対応する電流設定値を設定値に変換し、該設定値を出力ｃｈ３−１として出力する。更に、セレクタ６０は、Ｈレベルの出力ｃｈ２−２を出力し、セレクタ６１は、Ｈレベルの出力ｃｈ１−３，ｃｈ１−４を出力する。これにより、スイッチ８２−１，８０−２が導通する。ゲートドライバ６３は、ビデオ信号に基づいてＨレベルの出力ｃｈ４−１を出力し、ビデオ信号に基づいてＨレベルの出力ｃｈ４−２を出力する。これにより、発光点５４−１，５４−２は、ビデオ信号に応じた期間だけ発光する。発光点５４−１の発光強度は、コンデンサ７３−３が保持している設定値に応じた強度である。発光点５４−２の発光強度は、コンデンサ７３−１が保持している設定値に応じた強度である。更に、コンデンサ７３−２には、出力ｃｈ３−１である設定値が書き込まれる。
【０１０２】
時刻ｔ６〜ｔ７において、発光点５４−１，５４−２の発光とコンデンサ７３−３への設定値の書き込みが行われる。具体的には、電流設定部６２は、発光点５４−２に対応する電流設定値を設定値に変換し、該設定値を出力ｃｈ３−１として出力する。更に、セレクタ６０は、Ｈレベルの出力ｃｈ２−３を出力し、セレクタ６１は、Ｈレベルの出力ｃｈ１−２，ｃｈ１−４を出力する。これにより、スイッチ８１−１，８０−２が導通する。ゲートドライバ６３は、ビデオ信号に基づいてＨレベルの出力ｃｈ４−１を出力し、ビデオ信号に基づいてＨレベルの出力ｃｈ４−２を出力する。これにより、発光点５４−１，５４−２は、ビデオ信号に応じた期間だけ発光する。発光点５４−１の発光強度は、コンデンサ７３−２が保持している設定値に応じた強度である。発光点５４−２の発光強度は、コンデンサ７３−１が保持している設定値に応じた強度である。更に、コンデンサ７３−３には、出力ｃｈ３−１である設定値が書き込まれる。以後、時刻ｔ１〜ｔ７と同じ動作が繰り返される。なお、ここでは、第１グループの動作のみを説明したが、第２グループないし第ｍグループについても、第１グループと並行して同じ動作が実行されている。
【０１０３】
（効果）
前記ＯＬＥＤ−ＰＨ１７ａによれば、発光期間を長くすることができる。より詳細には、セレクタ６０及びスイッチ８５（選択手段）は、セレクタ６１、ゲートドライバ６３、ドライブ（Ｔｒ）７７−１、スイッチ７９−１，８１−１及びカレントミラー回路７８−１（供給手段）が発光点５４−１に電流を供給し、かつ、セレクタ６１、ゲートドライバ６３、ドライブ（Ｔｒ）７７−２、スイッチ７９−２，８０−２及びカレントミラー回路７８−２（供給手段）が発光点５４−２に電流を供給している発光期間において、発光点５４−１，５４−２への電流の供給に用いられているコンデンサ７３−１，７３−２以外のコンデンサ７３−３を選択する。電流設定部６２（書き込み手段）は、セレクタ６０及びスイッチ８５（選択手段）により選択されたコンデンサ７３−３に、セレクタ６１、ゲートドライバ６３、ドライブ（Ｔｒ）７７−１、スイッチ７９−１，８１−１及びカレントミラー回路７８−１（供給手段）により電流を供給されている発光点５４−１の次の発光期間において用いられる設定値を書き込む。これにより、発光点５４−１，５４−２の発光とコンデンサ７３−３への設定値の書き込みが同時に行われている。その結果、ＯＬＥＤ−ＰＨ１７ａにおいて、発光点５４−１，５４−２が発光しない非発光期間をなくす又は短くすることができ、ＯＬＥＤ−ＰＨ１７ａの発光期間を長くすることができる。
【０１０４】
なお、ＯＬＥＤ−ＰＨ１７ａでは、各グループには、２つの発光点５４−１，５４−２と３つのコンデンサ７３−１〜７３−３が設けられているが、発光点の数及びコンデンサの数はこれに限らない。各グループにおいて、コンデンサの数が発光点の数よりも多ければよい。
【０１０５】
また、ＯＬＥＤ−ＰＨ１７ａにおいて、発光点は、グループ分けされていなくてもよい。この場合には、コンデンサの総数が発光点の総数よりも多ければよい。
【０１０６】
また、１つのグループに、コンデンサが４つ以上設けられ、発光点が３つ以上設けられている場合には、以下に説明する動作を行うことができる。以下では、４つのコンデンサ７３−１〜７３−４及び３つの発光点５４−１〜５４−３が設けられている場合を例に挙げて説明する。
【０１０７】
まず、複数のコンデンサ７３−１〜７３−４の内の一部に相当する複数のコンデンサ７３−１，７３−２を用いて、複数の発光点５４−１〜５４−３の内の少なくとも一部に相当する複数の発光点５４−１，５４−２に電流を同時に供給する。そして、複数の発光点５４−１，５４−２に電流を供給している期間において、該複数の発光点５４−１，５４−２への電流の供給に用いられているコンデンサ７３−１，７３−２以外のコンデンサ７３−３，７３−４を選択して、コンデンサ７３−３，７３−４に設定値を書き込んでもよい。すなわち、全ての発光点５４−１〜５４−３を同時に発光させなくてもよい。また、コンデンサ７３−３又はコンデンサ７３−４のいずれか一方に設定値を書き込んでもよい。
【０１０８】
（電流設定部の変形例）
次に、ＯＬＥＤ−ＰＨ１７，１７ａの電流設定部６２の変形例について図面を参照しながら説明する。図１０は、電流設定部６２における出力ｃｈ３−１に関連する部分の構成図である。図１１は、電流設定部６２が出力ｃｈ３−１を出力する際のタイミングチャートである。図１１には、時間とタイマー９０の出力との関係を示したグラフ及び時間と信号線Ｓｉｇ３−１の電圧との関係を示したグラフが記載されている。
【０１０９】
電流設定部６２は、タイマー９０及びスイッチ９１を含んでいる。スイッチ９１は、ｎチャネル型のトランジスタである。スイッチ９１のドレインは、電位Ｖ１に保たれている。スイッチ９１のゲートは、タイマー９０に接続されている。スイッチ９１のソースは、信号線Ｓｉｇ３−１に接続されている。
【０１１０】
タイマー９０は、図１１に示すように、電流設定値の値に応じた期間だけＨレベルとなる出力ｃｈ５を出力し、電流設定値の値に応じた期間だけスイッチ９１を導通させる。これにより、信号線Ｓｉｇ３−１の出力ｃｈ３−１の電圧（すなわち、設定値）は、電流設定値に応じた大きさまで上昇する。なお、タイマー９０及びトランジスタ９１は、信号線Ｓｉｇ３−１〜Ｓｉｇ３−ｍに対応するように複数設けられている。ただし、１つのタイマー９０が、複数のトランジスタ９１に対して接続されていてもよい。
【０１１１】
このような電流設定部６２によれば、電流設定値を設定値に変換するために必要な電圧が電圧Ｖ１の１種類だけですむようになる。
【０１１２】
（その他の実施形態）
本発明に係る光書き込み装置は、前記ＯＬＥＤ−ＰＨ１７，１７ａに限らず、その要旨の範囲内において変更可能である。
【０１１３】
なお、ＯＬＥＤ−ＰＨ１７において、カレントミラー回路は必須ではない。ドライブ（Ｔｒ）７７−１〜７７−ｎを介して、スイッチ７９−１〜７９−ｎに電流が供給されてもよい。また、ＯＬＥＤ−ＰＨ１７ａにおいても、ＯＬＥＤ−ＰＨ１７と同様にカレントミラー回路は必須ではない。
【０１１４】
また、ＯＬＥＤ−ＰＨ１７では、感光体ドラム３１において発光点５４−１〜５４−ｎにより照射される光の強度を均一に近づけている。そして、発光点５４−１〜５４−ｎにより光が照射される画素の諧調を、発光点５４−１〜５４−ｎの発光期間により設定している。しかしながら、発光点５４−１〜５４−ｎにより光が照射される画素の諧調は、発光点５４−１〜５４−ｎの発光強度によって設定されてもよい。この場合、発光点５４−１〜５４−ｎの発光期間は均一である。そして、コンデンサ７３−１〜７３−ｎ，７４−１〜７４−ｎのそれぞれは、発光点５４−１〜５４−ｎにより光が照射される画素の諧調に応じた設定値を保持する。設定値に応じた電流が発光点５４−１〜５４−ｎに流れることにより、発光点５４−１〜５４−ｎが発光する。
【産業上の利用可能性】
【０１１５】
以上のように、本発明は、光書き込み装置及び画像形成装置に有用であり、特に、発光期間を長くできる点で優れている。
【符号の説明】
【０１１６】
１  画像形成装置
１７，１７ａ  ＯＬＥＤ−ＰＨ
５４−１〜５４−ｎ  発光点
６０，６１  セレクタ
６２  電流設定部
６３  ゲートドライバ
７０−１〜７０−ｎ，７１−１〜７１−ｎ，７２−１〜７２−ｎ，７５−１〜７５−ｎ，７６−１〜７６−ｎ，７９−１〜７９−ｎ，８０−１，８０−２，８１−１，８１−２，８２−１，８２−２，８３〜８５  スイッチ
７７−１〜７７−ｎ  ドライブ（Ｔｒ）
７３−１〜７３−ｎ，７４−１〜７４−ｎ  コンデンサ
７８−１〜７８−ｎ  カレントミラー回路
９０  タイマー
９１  スイッチ
【図１】
2015020360.tif 000003
【図２】
2015020360.tif 000004
【図３】
2015020360.tif 000005
【図４】
2015020360.tif 000006
【図５】
2015020360.tif 000007
【図６】
2015020360.tif 000008
【図７】
2015020360.tif 000009
【図８】
2015020360.tif 000010
【図９】
2015020360.tif 000011
【図１０】
2015020360.tif 000012
【図１１】
2015020360.tif 000013